【手続補正書】
【提出日】平成18年6月26日(2006.6.26)
【手続補正１】
【補正対象書類名】特許請求の範囲
【補正対象項目名】全文
【補正方法】変更
【補正の内容】
【特許請求の範囲】
【請求項１】
入力されるデータを所定の形式にエンコードしたデータをバッファメモリに一旦記憶し、データが記録される記録媒体の記録形式が上記所定の形式とは異なると判別された場合には、上記バッファメモリに一旦記憶されたデータに後続するデータを上記記録媒体の記録形式で上記バッファメモリに一旦記憶するとともに、上記バッファメモリに一旦記憶された上記記録媒体の記録形式のデータを上記所定の形式で一旦記憶されたデータよりも先に上記記録媒体に記録することを特徴とする記録装置。
【請求項２】
入力データに第１の形式のエンコード処理を行う第１のエンコード手段と、
上記第１のエンコード手段によって処理された第１の形式のデータと、入力データとが選択的に入力されるバッファ手段と、
上記バッファ手段から読み出されるデータを記録媒体に記録する記録手段と、
入力データの上記記録媒体への記録の指示が入力される指示入力手段と、
上記指示入力手段から記録の指示の入力に基づいて、上記入力データを上記バッファ手段に記憶させるとともに上記記録媒体の記録形式を判別し、上記記録媒体の記録形式が上記第１の形式であると判別された場合には上記第１のエンコード手段によってエンコードされた第１の形式のデータを上記バッファ手段に記憶させるとともに、上記バッファ手段に記憶された上記第１の形式のデータが、上記バッファ手段に記憶された入力データよりも先に上記記録媒体に記録されるように制御する制御手段と、
を備えることを特徴とする記録装置。
【請求項３】
入力データに第１の形式のエンコード処理を行う第１のエンコード手段と、
入力データに上記第１のエンコード処理とは異なる所定の第２の形式のエンコード処理を行う第２のエンコード手段と、
上記第１のエンコード手段によって処理された第１の形式のデータと上記第２のエンコード手段によって処理された第２の形式のデータとが選択的に入力されるバッファ手段と、
上記バッファ手段から読み出されるデータを記録媒体に記録する記録手段と、
入力データの上記記録媒体への記録の指示が入力される指示入力手段と、
上記指示入力手段から記録の指示の入力に基づいて、上記第１のエンコード手段によってエンコードされた入力データを上記バッファ手段に記憶させるとともに上記記録媒体の記録形式を判別し、上記記録媒体の記録形式が上記第１の形式とは異なると判別された場合には上記第２のエンコード手段によってエンコードされた第２の形式のデータを上記バッファ手段に記憶させるとともに、上記バッファ手段に記憶された上記第２の形式のデータが上記記録媒体に記録されるように制御する制御手段と
を備える記録装置。
【請求項４】
上記バッファ手段に記憶された第１の形式のデータは、入力データの上記第２の形式のデータの記録終了後に、上記記録媒体に記録されることを特徴とする請求項３に記載の記録装置。
【請求項５】
上記第２の形式のデータの記録終了後に記録される上記バッファ手段に記録された上記第１の形式のデータは、上記第２の形式のデータに変更された後に上記記録媒体に記録されることを特徴とする請求項４に記載の記録装置。
【請求項６】
上記バッファ手段に記憶された上記第１の形式のデータは、上記第２のエンコード手段によって上記第２の形式のデータに変更されることを特徴とする請求項５に記載の記録装置。
【請求項７】
上記第１の形式で上記バッファ手段に記憶されたデータが、上記第１の形式でバッファ手段に記憶されたデータの後に上記バッファ手段に記憶されて先に上記記録媒体に記録された上記第２の形式のデータよりも先に再生されるように、上記記録媒体が備えるデータの再生順序を管理する管理情報を編集することを特徴とする請求項４に記載の記録装置。
【請求項８】
上記第２の形式のデータは、上記バッファ手段において、上記第１の形式のデータが記憶された領域とは異なる領域に記憶されることを特徴とする請求項３に記載の記録装置。
【請求項９】
上記第２の形式のデータが記憶される領域はリングバッファ形式で利用されることを特徴とする請求項８に記載の記録装置。
【請求項１０】
上記バッファ手段に先に記憶される第１の形式のデータは、上記第２の形式のデータより高品質のエンコードがされたデータであることを特徴とする請求項３に記載の記録装置。
【請求項１１】
上記第１のエンコード手段と上記第２のエンコード手段とは同一の処理手段であって、設定に基づいてエンコード形式が変更可能とされていることを特徴とする請求項３に記載の記録装置。
【請求項１２】
入力されるデータを所定の形式にエンコードしたデータをバッファメモリに一旦記憶し、データが記録される記録媒体の記録形式が上記所定の形式とは異なると判別された場合には、上記バッファメモリに一旦記憶されたデータに後続するデータを上記記録媒体の記録形式で上記バッファメモリに一旦記憶するとともに上記バッファメモリに一旦記憶された上記記録媒体の記録形式のデータを上記所定の形式で一旦記憶されたデータよりも先に上記記録媒体に記録することを特徴とする記録方法。
【請求項１３】
入力されるデータを第１のデータ形式に変換してバッファメモリに記憶するステップと、
上記記録媒体の記録形式を判別するステップと、
上記判別のステップで上記記録媒体の記録形式が上記第１のデータ形式と異なると判別された場合には、入力されるデータを第２のデータ形式に変換してバッファに記憶するとともに、上記記録媒体に上記バッファメモリに記憶されている第２のデータ形式のデータを記録するステップと、
を備えることを特徴とする記録方法。
【請求項１４】
上記第１のデータ形式で上記バッファメモリに記憶されたデータは、上記第２のデータ形式での入力データの記録の終了後に上記記録媒体に記録されることを特徴とする請求項１３に記載の記録方法。
【請求項１５】
上記第１のデータ形式で上記バッファメモリに記憶されたデータが、上記第２のデータ形式で上記バッファメモリに記憶されたデータよりも先に再生されるように上記記録媒体が備える記録データの再生順序を管理する管理情報を編集するステップを、
更に備えることを特徴とする請求項１４に記載の記録方法。
【請求項１６】
上記第１のデータ形式で上記バッファメモリに記憶されたデータは、上記第２のデータ形式に変換された後に上記記録媒体に記録されることを特徴とする請求項１３に記載の記録方法。
【手続補正２】
【補正対象書類名】明細書
【補正対象項目名】０００９
【補正方法】変更
【補正の内容】
【０００９】
本発明の記録装置は、入力されるデータを所定の形式にエンコードしたデータをバッファメモリに一旦記憶し、データが記録される記録媒体の記録形式が上記所定の形式とは異なると判別された場合には、上記バッファメモリに一旦記憶されたデータに後続するデータを上記記録媒体の記録形式で上記バッファメモリに一旦記憶するとともに、上記バッファメモリに一旦記憶された上記記録媒体の記録形式のデータを上記所定の形式で一旦記憶されたデータよりも先に上記記録媒体に記録する。
また本発明の記録装置は、入力データに第１の形式のエンコード処理を行う第１のエンコード手段と、上記第１のエンコード手段によって処理された第１の形式のデータと、入力データとが選択的に入力されるバッファ手段と、上記バッファ手段から読み出されるデータを記録媒体に記録する記録手段と、入力データの上記記録媒体への記録の指示が入力される指示入力手段と、上記指示入力手段から記録の指示の入力に基づいて、上記入力データを上記バッファ手段に記憶させるとともに上記記録媒体の記録形式を判別し、上記記録媒体の記録形式が上記第１の形式であると判別された場合には上記第１のエンコード手段によってエンコードされた第１の形式のデータを上記バッファ手段に記憶させるとともに、上記バッファ手段に記憶された上記第１の形式のデータが、上記バッファ手段に記憶された入力データよりも先に上記記録媒体に記録されるように制御する制御手段とを備える。
【手続補正３】
【補正対象書類名】明細書
【補正対象項目名】００１０
【補正方法】変更
【補正の内容】
【００１０】
また、本発明の記録装置は、入力データに第１の形式のエンコード処理を行う第１のエンコード手段と、入力データに上記第１のエンコード処理とは異なる所定の第２の形式のエンコード処理を行う第２のエンコード手段と、上記第１のエンコード手段によって処理された第１の形式のデータと上記第２のエンコード手段によって処理された第２の形式のデータとが選択的に入力されるバッファ手段と、上記バッファ手段から読み出されるデータを記録媒体に記録する記録手段と、入力データの上記記録媒体への記録の指示が入力される指示入力手段と、上記指示入力手段から記録の指示の入力に基づいて、上記第１のエンコード手段によってエンコードされた入力データを上記バッファ手段に記憶させるとともに上記記録媒体の記録形式を判別し、上記記録媒体の記録形式が上記第１の形式とは異なると判別された場合には上記第２のエンコード手段によってエンコードされた第２の形式のデータを上記バッファ手段に記憶させるとともに、上記バッファ手段に記憶された上記第２の形式のデータが上記記録媒体に記録されるように制御する制御手段とを備える。
また上記バッファ手段に記憶された第１の形式のデータは、入力データの上記第２の形式のデータの記録終了後に、上記記録媒体に記録される。
また上記第２の形式のデータの記録終了後に記録される上記バッファ手段に記録された上記第１の形式のデータは、上記第２の形式のデータに変更された後に上記記録媒体に記録される。
また上記バッファ手段に記憶された上記第１の形式のデータは、上記第２のエンコード手段によって上記第２の形式のデータに変更される。
また上記第１の形式で上記バッファ手段に記憶されたデータが、上記第１の形式でバッファ手段に記憶されたデータの後に上記バッファ手段に記憶されて先に上記記録媒体に記録された上記第２の形式のデータよりも先に再生されるように、上記記録媒体が備えるデータの再生順序を管理する管理情報を編集する。
また上記第２の形式のデータは、上記バッファ手段において、上記第１の形式のデータが記憶された領域とは異なる領域に記憶される。
また上記第２の形式のデータが記憶される領域はリングバッファ形式で利用される。
また上記バッファ手段に先に記憶される第１の形式のデータは、上記第２の形式のデータより高品質のエンコードがされたデータである。
また上記第１のエンコード手段と上記第２のエンコード手段とは同一の処理手段であって、設定に基づいてエンコード形式が変更可能とされている。
【手続補正４】
【補正対象書類名】明細書
【補正対象項目名】００１１
【補正方法】変更
【補正の内容】
【００１１】
本発明の記録方法は、入力されるデータを所定の形式にエンコードしたデータをバッファメモリに一旦記憶し、データが記録される記録媒体の記録形式が上記所定の形式とは異なると判別された場合には、上記バッファメモリに一旦記憶されたデータに後続するデータを上記記録媒体の記録形式で上記バッファメモリに一旦記憶するとともに上記バッファメモリに一旦記憶された上記記録媒体の記録形式のデータを上記所定の形式で一旦記憶されたデータよりも先に上記記録媒体に記録する。
【手続補正５】
【補正対象書類名】明細書
【補正対象項目名】００１２
【補正方法】変更
【補正の内容】
【００１２】
また本発明の記録方法は、入力されるデータを第１のデータ形式に変換してバッファメモリに記憶するステップと、上記記録媒体の記録形式を判別するステップと、上記判別のステップで上記記録媒体の記録形式が上記第１のデータ形式と異なると判別された場合には、入力されるデータを第２のデータ形式に変換してバッファに記憶するとともに、上記記録媒体に上記バッファメモリに記憶されている第２のデータ形式のデータを記録するステップとを備える。
また上記第１のデータ形式で上記バッファメモリに記憶されたデータは、上記第２のデータ形式での入力データの記録の終了後に上記記録媒体に記録される。
また上記第１のデータ形式で上記バッファメモリに記憶されたデータが、上記第２のデータ形式で上記バッファメモリに記憶されたデータよりも先に再生されるように上記記録媒体が備える記録データの再生順序を管理する管理情報を編集するステップを更に備える。
また上記第１のデータ形式で上記バッファメモリに記憶されたデータは、上記第２のデータ形式に変換された後に上記記録媒体に記録される。
【手続補正６】
【補正対象書類名】明細書
【補正対象項目名】００１４
【補正方法】変更
【補正の内容】
【００１４】
本発明によれば、装填された記録媒体の種別判別前に記録開始指示があることに応じて、入力データに対して、複数の内の或るエンコード方式によるエンコード処理を実行させてバッファリングしていく。このようにすることで、記録媒体の装填時の処理を行っている間、つまりディスク判別が行われるまでの間でも、入力データを確保しておくことができる。そして記録媒体への記録可能となったらバッファリングされたデータについて記録媒体への記録を行う。このとき、最初のエンコード方式が装填された記録媒体に適合していれば、そのまま記録を行えばよい。また最初のエンコード方式が装填された記録媒体に適合していなければ、エンコード方式を切り換え、その切換後の入力データから記録を行ない、切換前のデータについては再エンコードをおこなってから記録すればよい。このような動作により、記録媒体の種別に応じてエンコード方式が切り換えられる記録装置において、装填直後の入力データからの記録開始が実現できる。つまり録音機会を逃さないような記録動作が可能となるという効果がある。
【手続補正７】
【補正対象書類名】明細書
【補正対象項目名】００１５
【補正方法】変更
【補正の内容】
【００１５】
またバッファリングされたデータについて、時間的に先頭のデータから順に記録媒体に記録することで、入力データの時間的な前後と、記録媒体上での物理的な位置の前後を合わせて記録していくことができる。さらに再エンコードが不要であるため、処理負担が軽くまた再エンコードでデータ品質が劣化する可能性はない。
またエンコード方式の切換前にバッファリングされたデータについての再エンコード及び記録は、エンコード方式の切換後に入力されバッファリングされたデータの記録完了後に行うことで、リアルタイムに入力されてくる入力データを適切に記録できる。
またエンコード手段が、少なくとも１つのエンコード方式のエンコード処理と、１つのデコード方式のデコード処理とが同時に実行可能とされることで、再エンコード処理を簡易化できる。
また装填された記録媒体の種別判別前の時点での入力データに対するエンコード方式は、その時点でエンコード手段において選択されているエンコード方式とすることで、特にエンコード方式選択のための処理負担は無い。
或いはデータ品質の高い方のエンコード方式でエンコード処理を実行させることや、ビットレートに基づいて選択したエンコード方式でエンコード処理を実行させることで、再エンコードが必要な場合のデータ劣化を最小限としたり、バッファメモリにおいて再エンコードするデータの保持領域を小さくするなど、動作或いは設計事情に応じた処理が可能となる。